(57)【要約】【課題】撮影した被写体の画像の各領域を、撮影直後に自動的に拡大表示して、撮影した画像の状態を確認して、その適否を判定する。【解決手段】メモリカード２１に記録した画像１００を再生してモニタリングするとき、画像１００の領域毎にあらかじめ設定された順序で分割して表示装置１４に自動的に拡大表示して、撮影した画像１００のピント合わせや全体の撮影状況を容易に確認できるようにする。撮影した画像１００全領域を拡大表示した後、表示装置１４に表示した画像を消去するか否のメッセージを表示し、画像の消去が選択されたら、メモリカード２１に記録した該当する画像を消去する。【選択図】    図３
2006166086.tif 000002
【特許請求の範囲】
【請求項１】
鏡胴ユニットと撮像素子と画像信号処理部と制御装置と駆動制御部及び画像記録手段とを有する画像記録装置において、
撮影されて画像記録手段に記録された画像を再生して表示し、表示された画像を複数領域に分割して一定時間毎に順次連続して拡大表示する再生処理手段を前記制御装置に有することを特徴とする画像記録装置。
【請求項２】
前記再生処理手段は、分割して拡大表示する画像の拡大率を可変する請求項１記載の画像記録装置。
【請求項３】
前記再生処理手段は、分割して拡大表示した画像の消去の問合せを表示し、画像の消去が選択されたとき、画像記録手段に記録された該当する画像を消去する請求項１又は２に記載の画像記録装置。
【請求項４】
撮影光学系と撮像素子を介して入力された画像を画像記録手段に記録する画像記録方法において、
撮影されて画像記録手段に記録された画像を再生して表示し、表示された画像を複数領域に分割して一定時間毎に順次連続して拡大表示することを特徴とする画像記録方法。
【請求項５】
前記分割して拡大表示する画像の拡大率を可変する請求項４記載の画像記録方法。
【請求項６】
前記分割して拡大表示した画像の消去の問合せを表示し、画像の消去が選択されたとき、画像記録手段に記録された該当する画像を消去する請求項４又は５に記載の画像記録方法。
【発明の詳細な説明】
【技術分野】
【０００１】
この発明は、撮像素子を使用した画像記録装置と画像記録方法、特に撮影した画像のピント確認の確実化に関するものである。
【背景技術】
【０００２】
ＣＣＤ等の撮像素子を用いたデジタルカメラ等の画像記録装置においては、撮影光学系から入射した被写体の画像を撮像素子で画像信号に変換し、変換した画像信号を処理して画像情報に変換し、変換した画像情報をメモリカード等に記録している。このメモリカード等に記録した撮影画像を再生して内蔵している表示装置に表示して撮影状況を確認できるようにしている。
【０００３】
デジタルカメラ等の画像記録装置に内蔵している表示装置は小型のものが多く、撮影した画像を再生して表示しても、ピント確認等の撮影状況を正確に行うことは困難である。この撮影画像のピント確認を行うため、特許文献１に示された撮像装置は、撮影後、撮影した画像中の合焦した測距点付近の画像を表示装置の画面全体に表示してピントを確認できるようにしている。
【０００４】
しかしながら特許文献１に示すように、撮影した画像中の測距点付近の画像だけを表示していると、画像の全体の撮影状況を確認することはできず、撮影した画像全体では失敗した画像をそのままメモリカード等に保存してしまうため、メモリカード等の記憶容量を無駄に使ってしまうという短所がある。
【０００５】
この短所を防止するため、撮影後に、操作者が簡易再生ボタンを押して撮影した画像を表示させた後に、表示された画像の拡大ポイントを任意に選択して拡大操作を行うことを繰り返すことにより画像の全画面を拡大して表示するようにしている。
【０００６】
しかしながら撮影した画像の全画面を拡大表示するためには、拡大ポイントの選択と拡大操作を繰り返す必要があり、操作が煩雑であるとともに、被写体を撮影した後、その画像を直ちに確認することはできないという短所がある。
【特許文献１】特開２０００−１２５１７８号公報
【発明の開示】
【発明が解決しようとする課題】
【０００７】
この発明は、このような短所を改善し、撮影した被写体の画像の各領域を、撮影直後に自動的に拡大表示して、撮影した画像の状態を確認して、その適否を判定することができる画像記録装置と画像記録方法を提供することを目的とするものである。
【課題を解決するための手段】
【０００８】
この発明の画像記録装置は、鏡胴ユニットと撮像素子と画像信号処理部と制御装置と駆動制御部及び画像記録手段とを有する画像記録装置において、撮影されて画像記録手段に記録された画像を再生して表示し、表示された画像を複数領域に分割して一定時間毎に順次連続して拡大表示する再生処理手段を前記制御装置に有することを特徴とする。
【０００９】
前記再生処理手段は、分割して拡大表示する画像の拡大率を可変したり、分割して拡大表示した画像の消去の問合せを表示し、画像の消去が選択されたとき、画像記録手段に記録された該当する画像を消去する。
【００１０】
この発明の画像記録方法は、撮影光学系と撮像素子を介して入力された画像を画像記録手段に記録する画像記録方法において、撮影されて画像記録手段に記録された画像を再生して表示し、表示された画像を複数領域に分割して一定時間毎に順次連続して拡大表示することを特徴とする。
【００１１】
また、拡大表示する画像の拡大率を可変したり、分割して拡大表示した画像の消去の問合せを表示し、画像の消去が選択されたとき、画像記録手段に記録された該当する画像を消去する。
【発明の効果】
【００１２】
この発明は画像記録手段に記録した画像を再生してモニタリングするとき、画像の領域毎にあらかじめ設定された順序で分割して自動的に拡大表示するから、撮影した画像のピント合わせや全体の撮影状況を確実に確認することができる。
【００１３】
また、全領域を拡大表示してユーザーが不良画像と判断した画像を画像記録手段から消去するから、画像記録手段の記録領域を有効に利用することができる。
【発明を実施するための最良の形態】
【００１４】
図１はこの発明の画像記録装置の構成を示すブロック図である。図に示すように、画像記録装置１は、鏡胴ユニット２とＣＣＤ３とＦ／Ｅ（フロント／エンド）部４と制御装置５とＲＯＭ６とＲＡＭ７と内蔵メモリ８とＳＤＲＡＭ９及びＳＵＢ−ＣＰＵ１０等を有する。
【００１５】
鏡胴ユニット２は、被写体の光学画像を取り込むズームレンズ２０１ａとズーム駆動モータ２０１ｂからなるズーム光学系２０１と、フォーカスレンズ２０２ａとフォーカス駆動モータ２０２ｂからなるフォーカス光学系２０２と、絞り２０３ａと絞りモータ２０３ｂからなる絞りユニット２０３と、メカシャッタ２０４ａとメカシャッタモータ２０４ｂからなるメカシャッタユニット２０４と、各モータを駆動するモータドライバ２０５を有する。ＣＣＤ３は鏡胴ユニット２から入射した被写体の光学画像を光電変換する。Ｆ／Ｅ部４は、ＣＣＤ３から出力した信号の画像ノイズ除去用の相関二重サンプリングを行うＣＤＳ４０１と、ＣＤＳ４０１から出力した信号の利得調整を行うＡＧＣ４０２と、ＡＧＣ４０２から出力したアナログ信号をデジタル信号に変換するＡ／Ｄ変換部４０３と、制御装置４から供給される垂直同期信号（ＶＤ信号）と水平同期信号（ＨＤ信号）によりＣＣＤ３とＦ／Ｅ部４の駆動パルスを発生するタイミングジェネレータ４０４を有する。
【００１６】
制御装置５は、ＣＣＤ１信号処理ブロック５０１とＣＣＤ２信号処理ブロック５０２とＣＰＵブロック５０３とローカルＳＲＡＭ５０４とＵＳＢブロック５０５とシリアルブロック５０６とＪＰＥＧ・ＣＯＤＥＣブロック５０７とリサイズブロック５０８とＴＶ信号表示ブロック５０９とメモリカードブロック５１０及び再生処理ブロック５１１を有する。ＣＣＤ１信号処理ブロック５０１は、Ｆ／Ｅ部４から出力された画像データにホワイトバランス設定やガンマ設定を行い、また、ＶＤ信号とＨＤ信号をタイミングジェネレータ４４に供給する。ＣＣＤ２制御ブロック５０２は、フィルタリング処理により輝度データと色差データへの変換を行う。ＣＰＵブロック５０３は、Ｆ／Ｅ部４やモータドライバ２０５やストロボ発光部１１や測距ユニット１２等の装置各部の動作を制御する。ローカルＳＲＡＭ５０４は制御に必要なデータ等を一時的に保存する。ＵＳＢブロック５０５はパソコンなどの外部機器とＵＳＢ通信を行う。シリアルブロック５０６はパソコンなどの外部機器とシリアル通信を行う。ＪＰＥＧ・ＣＯＤＥＣブロック５０７はＪＰＥＧ圧縮・伸張を行う。ＴＶ信号表示ブロック５０９は画像データを表示装置１４やＴＶなどの外部表示機器に表示するためのビデオ信号に変換する。メモリカードブロック５１０は撮影された画像データを記録するメモリカードの制御を行う。再生処理ブロック５１１は撮影した画像を表示装置１４に表示してモニタリングをするとき、撮影した画像の再生処理を行う。
【００１７】
ＲＯＭ６には、制御装置５のＣＰＵブロック５０３にて解読可能なコードで記述された制御プログラムや制御するためのパラメータが格納されている。そして電源がオン状態になると、ＲＯＭ６に格納されたプログラムは不図示のメインメモリにロードされ、ＣＰＵブロック５０３はそのプログラムに従って装置各部の動作を制御するとともに、制御に必要なデータ等を一時的にＲＡＭ７及びローカルＳＲＡＭ５０４に保存する。このＲＯＭ６に書き換え可能なフラッシュＲＯＭを使用することにより、制御プログラムや制御するためのパラメータを変更することが可能となり、機能のバージョンアップが容易に行える。
【００１８】
ＳＤＲＡＭ９は、制御装置４で画像データに各種処理を施す際に、画像データを一時的に保存する。保存される画像データは、例えば、ＣＣＤ３からＦ／Ｅ部４を経由して取り込み、ＣＣＤ１信号処理ブロック５０１でホワイトバランス設定やガンマ設定が行われた状態のＲＡＷ−ＲＧＢ画像データやＣＣＤ２制御ブロック５０２で輝度データ・色差データ変換が行われた状態のＹＵＶ画像データ及びＪＰＥＧ・ＣＯＤＥＣブロック５０７でＪＰＥＧ圧縮されたＪＰＥＧ画像データなどである。
【００１９】
ＳＵＢ−ＣＰＵ１０は、ＲＯＭ・ＲＡＭをワンチップに内蔵したＣＰＵであり、操作キーユニット１５やユーザーが操作したリモコン送信機の信号を受信するリモコン受光部１６の出力信号をユーザーの操作情報としてＣＰＵブロック５０３に出力したり、ＣＰＵブロック５０３より出力される画像記録装置１の状態を、撮影時の合焦状態を表示するＡＦ・ＬＥＤ１７や、ストロボ充電状態を表すストロボＬＥＤ１８及びブザー１９の制御信号に変換して出力する。操作キーユニット１５は、ユーザーが操作するキー回路であり、レリーズスイッチやズームスイッチや拡大ポイント選択スイッチや表示経路スイッチ等の各種機能スイッチを有する。
【００２０】
メモリカードスロットル２０は着脱可能なメモリカード２１を装着するためのスロットルである。内蔵メモリ８は、メモリカードスロットル２０にメモリカード２１が装着されていない場合でも、撮影した画像データを記憶できるようにするためのメモリである。ＬＣＤドライバ２２は表示装置１４を駆動し、ＴＶ信号表示ブロック５０９から出力されたビデオ信号を表示装置１４に表示するための信号に変換する。表示装置１４は撮影前に被写体の状態や撮影した画像を表示するとともに、メモリカード２１や内蔵メモリ８に記録した画像データを表示する。ビデオＡＭＰ２３はＴＶ信号表示ブロック５０９から出力されたビデオ信号を７５Ωインピーダンス変換し、ＴＶなどの外部表示機器と接続するビデオジャック２４に出力する。ＵＳＢコネクタ２５はパソコンなどの外部機器とＵＳＢ接続を行うコネクタであり、シリアルドライバ回路２６はパソコンなどの外部機器とシリアル通信を行うために、シリアルブロック５０６の出力信号を電圧変換してＲＳ−２３２Ｃコネクタ２７に出力する。
【００２１】
音声記録ユニットは、ユーザーが音声信号を入力するマイク２６と入力された音声信号を増幅するマイクＡＭＰ２７及び増幅された音声信号を記録する音声記録回路２８からなり、音声再生ユニットは記録された音声信号をスピーカー２９から出力できる信号に変換する音声再生回路３０と変換された音声信号を増幅し、スピーカーを駆動するためのオーディオＡＭＰ３１を有する。
【００２２】
この画像記録装置１で被写体を撮影して記録するときの処理を図２のフローチャートを参照して説明する。
【００２３】
画像記録装置１の電源をオンにして操作キーユニット１５の各種機能スイッチを使用して初期設定すると（ステップＳ１）、ＣＰＵブロック５０３は鏡胴ユニット２の状態を確認し（ステップＳ２）、鏡胴ユニット２が収納されている場合は鏡胴ユニット２を待機位置に移動し、メカシャッタユニット２０４を開にし、フォーカスリセットの状態にする（ステップＳ３〜Ｓ５）。また、鏡胴ユニット２が突出している場合は、直ちにメカシャッタユニット２０４を開にする（ステップＳ６）。この状態でＦ／Ｅ部４を起動し、撮影前に被写体の状態を確認するためのモニタリングの準備に入り、ＡＥ（Auto Exposure:自動露出）とＡＷＢ（auto white balance；オートホワイトバランス）を更新する（ステップＳ７〜Ｓ９）。このとき、モード変更が選択されたら（ステップＳ１０）、モード変更処理をして、上記処理を繰り返す（ステップＳ１１，Ｓ８〜Ｓ１０）。この状態で操作キーユニット１５のレリーズスイッチを半押しすると、ＣＰＵブロック５０３はＡＦ（Auto focus；オートフォーカス)処理とＡＥ処理及びＡＷＢ処理を行う（ステップＳ１２〜Ｓ１５）。そしてレリーズスイッチを全押しすると、モニタリングを停止して被写体を撮影し、画像処理してメモリカード２１に記録する（ステップＳ１６〜Ｓ２０）。この状態でメモリカード２１に記録した被写体の画像の複数個所を拡大して再生するモードが選択されない場合は、再び撮影前に被写体の状態を確認するためのモニタリングの準備に入る（ステップＳ２１，Ｓ８）。
【００２４】
このモニタリングの状態でレリーズスイッチが半押しされずに（ステップＳ１０）、スタンバイモードの場合、ＣＰＵブロック５０３はタイマをスタートさせ（ステップＳ２３，Ｓ２４）、モニタリングを停止してＦ／Ｅ部４の駆動を停止し、メカシャッタユニット２０３を閉にする（ステップＳ２５〜Ｓ２７）。この状態で電源がオフにされないでタイマが一定時間例えば２秒経過したら鏡胴ユニット２を収納して電源をオフにして処理を終了する（ステップＳ２８〜Ｓ３０）。また、タイマが一定時間経過する前に電源がオフにされたら、処理を終了する（ステップＳ２８）。また、モニタリングの状態でレリーズスイッチが半押しされずに（ステップＳ１０）、かつスタンバイモードでない場合、モニタリングを停止してＦ／Ｅ部４の駆動を停止し、メカシャッタユニット２０４を閉にして鏡胴ユニット２を収納して電源をオフにする（ステップＳ２３，Ｓ３１〜Ｓ３４）。
【００２５】
また、被写体を撮影し、画像処理してメモリカード２１に記録した状態で、記録した被写体の画像の複数個所を拡大して再生するモードが選択された場合（ステップＳ１６〜Ｓ２１）、制御装置５の再生処理ブロック５１１はメモリカード２１に記録した画像の再生処理して、表示装置１４に表示する（ステップＳ２２）。この記録した画像の拡大再生処理を図３のフローチャートを参照して説明する。
【００２６】
まず、図４の表示パターン図に示すように、再生処理ブロック５１１は通常のプレビュー表示で記録した画像１００の全体を表示装置１４に表示する（ステップＳ４１）。この状態であらかじめ設定された時間Ｔ、例えば３００ｍｓ経過すると（ステップＳ４２）、再生処理ブロック５１１はあらかじめ設定された拡大領域毎の拡大表示処理に入る。例えば記録した画像１００の中心部１００ａをあらかじめ設定された拡大率例えば４倍に拡大して表示する（ステップＳ４３）。この状態で設定時間Ｔが経過すると（ステップＳ４４）、記録した画像１００の右上周辺部１００ｂを拡大して表示する（ステップＳ４５）。この状態で設定時間Ｔが経過すると（ステップＳ４６）、記録した画像１００の右下周辺部１００ｃを拡大して表示する（ステップＳ４７）。この状態で設定時間Ｔが経過すると（ステップＳ４８）、記録した画像１００の左上周辺部１００ｄを拡大して表示する（ステップＳ４９）。さらに、設定時間Ｔが経過すると（ステップＳ５０）、記録した画像１００の左下周辺部１００ｄを拡大して表示する（ステップＳ５１）。その後、設定時間Ｔが経過したら（ステップＳ５２）、図５に示すように、表示装置１４に「この画像を消去しますか（Ｙ／Ｎ）」と、表示した画像を消去するか否のメッセージを表示し（ステップＳ５３）、画像の消去が選択されたら、メモリカード２１に記録した該当する画像を消去して拡大再生処理を終了する（ステップＳ５４）。
【００２７】
このようにメモリカード２１に記録した画像１００を再生してモニタリングするとき、画像１００の領域毎にあらかじめ設定された順序で分割して自動的に拡大表示するから、撮影した画像１００のピント合わせや全体の撮影状況を確実に確認することができる。また、全領域を拡大表示してユーザーが不良画像と判断した画像をメモリカード２１から消去するから、メモリカード２１の記録領域を有効に利用することができる。
【００２８】
前記説明では記録した画像１００を分割して拡大する領域の順序や表示時間をあらかじめ設定した場合について説明したが、操作キーユニット１５の各種機能スイッチキーを使用して拡大する領域の順序や表示時間をユーザーが可変するようにしても良い。
【図面の簡単な説明】
【００２９】
【図１】この発明の画像記録装置の構成を示すブロック図である。
【図２】被写体を撮影して記録するときの処理を示すフローチャートである。
【図３】記録した画像の拡大再生処理を示すフローチャートである。
【図４】拡大再生処理を行うときの表示パターン図である。
【図５】表示した画像を消去するか否のメッセージの表示図である。
【符号の説明】
【００３０】
１；画像記録装置、２；鏡胴ユニット、３；ＣＣＤ、４；Ｆ／Ｅ部、５；制御装置、
６；ＲＯＭ、７；ＲＡＭ、８；内蔵メモリ、９；ＳＤＲＡＭ、
１０；ＳＵＢ−ＣＰＵ、１４；表示装置、１５；操作キーユニット、
２１；メモリカード、５０３；ＣＰＵブロック、５１１；再生処理ブロック。
【図１】
2006166086.tif 000003
【図２】
2006166086.tif 000004
【図３】
2006166086.tif 000005
【図４】
2006166086.tif 000006
【図５】
2006166086.tif 000007